(57)【要約】【課題】可視光線、紫外線を利用し磁場塊をトンネル型筒（素材アルミ板）の内側左右に取り付け光線の波長（振幅、周期）可変して放射させ環境活性化を得る。【解決手段】  可視光線、紫外線の照度、波長を調整した各光線を磁場塊の偏角、伏角をなすアルミ製トンネル型筒に取り付け、筒内を通過させるための風量を調整できるシロッコフアンで放出する。    紫外線だけの場合は紫外線を磁場を形成したアルミ板の四角錐筒内を通してファイバースコープを使用して放射する。【選択図】    図１
2005199250.tif 000002
【特許請求の範囲】
【請求項１】
粘土に磁場化した純鉄含有率５〜２０％Ｆｅとを混練りして半円球を作り、１０００〜１１００℃で焼成した磁場塊１２をアルミ板１１の平行筒の内側左右に偏角、伏角になる状態に取り付け、その筒の中を通過する可視光線と紫外線が出るランプ８からの光量を調整するサイリスタのレギュレータＲで波長調整して筒の中を通過させるためにシロッコフアン１３を使い風量調整装置サイリスタ６のレギュレータＲで風量調整して筒の中を通すことによって可視光線、紫外線の波長が磁束密度よって変化し空気の窒素と酸素が分離して３５０〜４５０マイクロテスラとして放射口から可視光線、紫外線の放射を利用する環境活性化装置。
【請求項２】
四角錐のアルミ板の筒の内側左右の壁に請求項１の磁場塊を取り付け、紫外線を光量調整サイリスタ５のレギュレータＲで調整タイマーで紫
2005199250.tif 000003
殺菌効果を有する環境活性装置。
【発明の詳細な説明】
【発明の詳細な説明】
【技術分野】
【０００１】  本発明は、粘土に磁場化した純鉄含有率５〜２０％Ｆｅを混練し、半円球を作り１０００〜１１００℃で焼成した磁場塊をアルミ材のトンネル形または四角錐の筒の内側左右に奇数個取り付け、可視光線、紫外線の波長をサイリスタ５で調整し、さらに磁場塊の偏角、伏角の配置により振幅、周期の波長を細かくし放射し環境の活性化をする装置を提供するものである。
【背景技術】
【０００２】  赤外線（近赤外線、（中間）赤外線、遠赤外線）でも可視光線に近い近赤外線やマイクロ波に近い遠赤外線などは用途が多い。
特に身近なもので赤外線コタツ、オーブンレンジなどがある。
また紫外線は医療機器あるいは屋外での殺菌灯、屋内では絵画などの変色や虫食い防止、手の消毒効果に利用される位である。
可視光線の応用としてコピー機、ＣＤ（コンパクトデイスク）で範囲は狭い。
これらは特定な製品として使われている程度で環境活性化には程遠い。特に都市部ではＣＯ２対策に追われて一般人には環境活性化まで届かないのが現状である。交通の激しい住宅は絶えず窓、ドアは締め切っている理由として、汚れた空気やミクロン状の埃が屋内に入るからである。【０００３】  磁場の応用は１９６０年京都大学で研究され空気中の窒素と酸素を分離させることに成功している。この研究の教授は亡くなられ、論文は一般には出ていないが某鉄鋼業界で実施されておる程度である。
よく  磁場と磁石と同一視しているところに欠点が生じた。今もその傾向がある。本来は磁場と磁石は関係があっても異なるものである。また別の物質でマイナス  イオンについてもいろいろな製品が出回っており間違った潜入観念が広がり苦情が多く、独立法人苦情相談が出来る位である。磁石は残留磁化を持つが外部磁場によって容易に磁化を失わされるものに一時磁石がある。磁場と磁石は関係があっても物質が違うことである。【０００４】  電磁波を発見したのはマックスウエルである。ところが２００１年に入って電磁波に「スキマ」があることが公開された。従って磁石にも磁場にも当然「スキマ」があることになる。
１例を上げると超電導磁石を取り付け強力な磁石のＮ極とＳ極の反発、吸引作用を利用したハイテクの最先端技術にリニアモーターカーがある。ところが糸川秀夫博士がリニアにもつ最大関心事がもっと別なところにあるという。それは「磁場の問題」であると発言して問題を提起している。
従って磁場問題が今世紀の世界の学者、研究者の課題になっている。とくに日本では２００１年より国の予算がつき磁場研究棟が産総研に出来研究が開始された。
【発明が解決しょうとする課題】
【０００５】  このことから鑑み一般に磁場を形成しているものは皆無に等しい。
磁場には永久磁場と変化磁場があり、磁場の本質についてはまだ統一された見解に達していない。従って磁場に『スキマ』が今までの理論以外にあることがわかった。従って変化磁場に問題点があった。この点に着眼し研究を重ねた。
【０００６】  本発明は、上記課題を鑑みなされたことから強力な磁石を利用するのではなく粘土と９９．５％純鉄Ｆｅを混練りし、半球状椀形の粘土塊（含有率１０〜２０％Ｆｅ）を１０００℃〜１１００℃で焼成し磁場化して磁場塊をアルミ板をトンネル形筒に成形し筒の内側左右両サイドに偏角および伏角をなすように取り付けた。また、アルミ板を四角錐の筒を作り上記トンネル形筒と同じように磁場塊をと取り付けた。
【課題を解決するための手段】
【０００７】  上記目的を達成するために、本発明の装置に１）可視光線、紫外線併用のランプの波長を可変する光量調整装置サイリスタと風量調整装置サイリスタとシロッコフアンを組合せランプと磁場トンネル、シロッコフアンを一体化しフアンの出口にアルミの自在ヂャバラをとりつけた装置。２）上記のランプを紫外線ランプだけとし四角錐筒の磁場トンネルと紫外線を通すための光ファイバースコープを組合せた一体化の装置。  ３）  １）および２）の装置には電源取り入れソケット、スイッチ、ヒューズおよび電流が流れていることを知る８端子ＬＥＤが組み込まれている。
【発明を実施するための最良の形態】
【０００８】  図１において電源１スイッチ２をＯＮにするとヒューズ３を介してＬＥＤ３が点灯し電流が流れていることを表す。光量調整装置５のレギュレータＲを回すとＯＦＦからＯＮに入り安定器７を介してグローランプ点灯して可視光と紫外光８が点灯する。普通は紫外線は可視光線を吸収するが、このランプの紫外線の可視光線の全吸収はなく可視光線と紫外線が平行して放射するランプを使用しているランプと空気取り入れ口１０と磁場塊の取り付けたトンネル形筒およびシロッコフアン一体化し光が漏れないようにしてある。風量の取り入れ口は光の漏れない構造にしてある。図２参照  フアンの回転数をレギュレータＲの可変で風量を調整できるようにしている。
図２は紫外線のみのランプで紫外線は人体それぞれ異なるので線量の調整５のＲの調整と時間タイマーの設定が問題となるので１回の照射時間は２分以内それ以上設定できないようになっている。タイマーは秒単位で設定できる。ｍａｘ２回／日  １〜５日  殺菌が目的であるから絶えず放射することは禁物である。従って本装置は紫外線が絶対漏れないようにしてある。ファイバースコープが丸を使う理由は紫外線が外部に漏れないのが特徴なので使用しているる。
【発明の効果】
【０００９】  本発明は、以上説明したように構成されている装置なので、以下に記載されるような実験結果で効果が得られた。
【実験例】
【００１０】  実験期間    平成１４年１１月中旬から平成１５年１０月２０日
延べ人員    １０人余    ５０才以上８２才  体調不具合時
実験した部屋  ５カ所  間取り６畳間〜１０畳間
実験の形態    Ａｍ９：００〜１２：００  窓解放
Ａｍ９：００〜１１：３０  作業労働
Ｐｍ１：００              窓閉ロックし手作業する。
図１の可視光線、紫外線利用環境活性装置スイッチＯＮ
Ｐｍ１時頃    Ｐｍ５時頃    １日  ２回  ２０分前後
図３の紫外線照射  １分から２分以下  適宜１日１回  ２日間
図１装置による    腰痛、筋肉痛、肩凝り、鼻風邪（治癒）異常なし
図２装置による    水虫治療（１回／日  ４日完治）
爪水虫治療中  適宜  良くなりつつある
以上実験例で述べたように、１回２０分から３０分程度、２回〜３回／日行い可視光線、紫外線を放出するだけで部屋に入り込んだ害虫および蛍光灯ケースないに入った害虫などは死滅した。都市部で部屋を閉めた状態で平常でも埃りがかなり入る。１０日位で薄ら白くなる。この埃りを拭き取って実験をすると埃が減少した。また部屋で筆記したり手仕事をたえず行なっても腰痛、筋肉痛、肩凝りがほとんど感じられなかった。また風邪気味でミズ鼻が出て医者から薬を貰って呑まず本装置の放射口を鼻にあて稼働したら治ったの報告があった。
このことから種々いろいろなテストで良い結果が得られ、効果があったことになる。
【図面の簡単な説明】
【図１】  磁場塊を取り付けたトンネル型筒に可視光線、紫外線を通しシロッコフアンで放出する装置の電気回路と構成を示す図である。
【図２】  図１の風量流入カバー１０のＡ−Ｂの断面図を示す。
【図３】  利用する紫外線と磁場塊を取り付けた四角錐と光ファイバスコープを一体化した装置の電気回路と構成を示す図である。
【符号の説明】
１    電源
２    スイッチ
３    ヒューズ
４    ８端子ダイオードＬＥＤ                    Ｔ    トライアック
８    図１可視光せん、紫外線ケミカルランプ、    Ｄ    ダイアック
図２紫外線ブラックランプ                  Ｃ    コンデンサ
９    グロースタータ                            Ｒ    レギュレータ
１１  磁場塊
１２  アルミトンネル型筒
１５  紫外線の流れ
１６  可視光線の流れ
２０  紫外線の流れ
１７  自在アルミジャバラ
１８  気流の流れ
１９  放射口
２１  紫外線放射
【図１】
2005199250.tif 000004
【図２】
2005199250.tif 000005
【図３】
2005199250.tif 000006